(57)【要約】第１接続ピン端子および第２接続ピン端子が一体形成されたケースを製造する工程と、ケース内に第１接続ピン端子および第２接続ピン端子が電気的に接続されるコンデンサ素子を収容させる工程とを含むコンデンサの製造方法において、ケースの製造工程では、ケースの形状に形作られた型部を内部に有する金型を、ケースの材料となるポリフェニレンサルファイド樹脂のガラス転移温度以下の温度に加熱し、ガラス転移温度以下の温度に加熱されるとともに型部内に第１接続ピン端子および第２接続ピン端子がインサートされた金型において、型部内に溶融状態のポリフェニレンサルファイド樹脂を注入してケースを形成する。
2018159230.tif 000002
【特許請求の範囲】
【請求項１】
外部端子が接続される端子部が一体形成されたケースを製造する工程と、前記ケース内に前記端子部が電気的に接続されるコンデンサ素子を収容させる工程とを含むコンデンサの製造方法であって、
前記ケースの製造工程では、
前記ケースの形状に形作られた型部を内部に有する金型を、前記ケースの材料となる熱可塑性樹脂のガラス転移温度以下の温度に加熱し、
前記ガラス転移温度以下の温度に加熱されるとともに前記型部内に前記端子部がインサートされた前記金型において、前記型部内に溶融状態の前記熱可塑性樹脂を注入して前記ケースを形成する、
ことを特徴とするコンデンサの製造方法。
【請求項２】
請求項１に記載のコンデンサの製造方法において、
前記熱可塑性樹脂は、ポニフェニレンサルファイド樹脂であり、
前記金型は、６０℃以上９０℃以下の範囲の温度に加熱される、
ことを特徴とするコンデンサの製造方法。
【請求項３】
請求項１または２に記載のコンデンサの製造方法において、
前記ケースは、取付孔を有し前記ケースの取り付けに用いられる取付部を備え、
前記金型には、前記取付部に対応する前記型部の部位にゲートが設けられ、
前記ゲートから前記型部内に溶融状態の前記熱可塑性樹脂が注入される、
ことを特徴とするコンデンサの製造方法。
【請求項４】
請求項１ないし３の何れか一項に記載のコンデンサの製造方法において、
前記金型にインサートされる前記端子部の表面に金メッキが施されている、
ことを特徴とするコンデンサの製造方法。
【発明の詳細な説明】
【技術分野】
【０００１】
本発明は、コンデンサの製造方法に関する。
【背景技術】
【０００２】
素子および一対のバスバーの一部を樹脂モールドした状態でケース内に収容するようにしたケースモールド型コンデンサにおいて、ケースの側面の一部に切り欠き部を形成し、切り欠き部にこれを封止するように封止板を結合し、一対のバスバーの外部接続用の端子部を、封止板を貫通させてケースの外側に引き出すようにした構成が、特許文献１に記載されている。
【先行技術文献】
【特許文献】
【０００３】
【特許文献１】特開２０１４−１１６４４５号公報
【発明の概要】
【発明が解決しようとする課題】
【０００４】
外部接続用の端子部をケースの側面位置で外側に引き出す場合、上記特許文献１のような構成ではなく、ケースを射出成形により形成し、その際に、インサート成形により端子部をケースと一体形成するような構成を採ることができる。この場合、素子とバスバーとがケースに収納された後に、バスバーが端子部に電気的に接続される。このような構成とした場合には、上記特許文献１のような封止板とケースの切欠部との間との間からのモールド樹脂の漏れを懸念しなくてよくなる。【０００５】
ところで、成形時には金型が１３０℃から１５０℃の温度に加熱され、加熱された金型内に溶融した樹脂が注入されてケースが形成される。この場合、成形後のケースには、金型の合わせ面（分離面）の位置等において、バリが発生し得る。そこで、成形後のケースにはバリ処理を施す必要がある。バリ処理を自動で行う方法として、通常、ガラスビース、スクラブ等の微細な研磨材を吹き付けてバリを落とすブラスト研磨が行われる。【０００６】
しかしながら、上記のようにケースに端子部がインサート成形された場合、ブラスト研磨において端子部に研磨材が吹き付けられやすくなるので、端子部の表面が荒らされ、端子部と外部端子とが接続されたときに端子表面間での電気抵抗が増加し、外部端子へ電流が流れにくくなる虞がある。また、端子部の強度が比較的小さい場合には、研磨材の吹付力によって端子部の変形が生じ、端子部の位置精度が悪化して、外部端子との円滑な接続が行えなくなる虞もある。【０００７】
かかる課題に鑑み、本発明は、成形によるケースへのバリの発生を抑えることによりバリ処理の作業を無くすことができ得るコンデンサの製造方法を提供することを目的とする。
【課題を解決するための手段】
【０００８】
本発明の主たる態様は、外部端子が接続される端子部が一体形成されたケースを製造する工程と、前記ケース内に前記端子部が電気的に接続されるコンデンサ素子を収容させる工程とを含むコンデンサの製造方法に関する。本態様に係るコンデンサの製造方法は、前記ケースの製造工程では、前記ケースの形状に形作られた型部を内部に有する金型を、前記ケースの材料となる熱可塑性樹脂のガラス転移温度以下の温度に加熱し、前記ガラス転移温度以下の温度に加熱されるとともに前記型部内に前記端子部がインサートされた前記金型において、前記型部内に溶融状態の前記熱可塑性樹脂を注入して前記ケースを形成することを特徴とする。
【発明の効果】
【０００９】
本発明によれば、成形によるケースへのバリの発生を抑えることによりバリ処理の作業を無くすことができ得るコンデンサの製造方法を提供できる。【００１０】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１１】
【図１】図１（ａ）は、実施の形態に係る、フィルムコンデンサの斜視図であり、図１（ｂ）は、実施の形態に係る、充填樹脂が省略されたフィルムコンデンサの斜視図である。
【図２】図２（ａ）は、実施の形態に係る、コンデンサユニットの斜視図であり、図２（ｂ）は、実施の形態に係る、上下逆さまの状態のコンデンサユニットの斜視図である。
【図３】図３（ａ）は、実施の形態に係る、ケースの斜視図であり、図３（ｂ）は、実施の形態に係る、上下逆さまの状態のケースの斜視図である。
【図４】図４（ａ）は、実施の形態に係る、ケースの射出成形に用いられる金型の斜視図であり、図４（ｂ）は、実施の形態に係る、スプールおよびランナーの位置で切断された金型の平面断面図である。
【図５】図５（ａ）は、実施の形態に係る、左右方向における中央の位置で切断された金型の側面断面図であり、図５（ｂ）は、実施の形態に係る、第２接続ピン端子の位置で切断された金型の側面断面図である。
【図６】図６は、実施の形態に係る、射出成形によるケースの製造工程の流れを示す図である。
【図７】図７（ａ）は、実施の形態に係る、成形時の金型温度とケースに発生するバリの長さとの関係をグラフ化した図であり、図７（ｂ）は、実施の形態に係る、成形時の金型温度とケースの破壊強度との関係をグラフ化した図である。図７（ｃ）は、実施の形態に係る、ケースのバリの長さの測定方法について説明するための図であり、図７（ｄ）は、実施の形態に係る、ケースの破壊強度の測定方法について説明するための図である。
【発明を実施するための形態】
【００１２】
以下、本発明の実施の形態について図を参照して説明する。便宜上、各図には、適宜、前後、左右および上下の方向が付記されている。なお、図示の方向は、あくまでフィルムコンデンサ１等の相対的な方向を示すものであり、絶対的な方向を示すものではない。
【００１３】
本実施の形態において、取付タブ４２０が、特許請求の範囲に記載の「取付部」に対応する。また、第１接続ピン端子４４０および第２接続ピン端子４５０が、特許請求の範囲に記載の「端子部」に対応する。
【００１４】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１５】
＜フィルムコンデンサの構成＞
まず、本実施の形態に係るフィルムコンデンサ１について説明する。フィルムコンデンサ１は、後述する本実施の形態に係るコンデンサの製造方法により製造される。
【００１６】
図１（ａ）は、本実施の形態に係る、フィルムコンデンサ１の斜視図であり、図１（ｂ）は、本実施の形態に係る、充填樹脂３０が省略されたフィルムコンデンサ１の斜視図である。図２（ａ）は、本実施の形態に係る、コンデンサユニット１０の斜視図であり、図２（ｂ）は、本実施の形態に係る、上下逆さまの状態のコンデンサユニット１０の斜視図である。図３（ａ）は、本実施の形態に係る、ケース２０の斜視図であり、図３（ｂ）は、本実施の形態に係る、上下逆さまの状態のケース２０の斜視図である。
【００１７】
フィルムコンデンサ１は、コンデンサユニット１０と、ケース２０と、充填樹脂３０とを備える。コンデンサユニット１０は、２つのコンデンサ素子１００と、第１バスバー２００と、第２バスバー３００とで構成される。
【００１８】
コンデンサ素子１００は、誘電体フィルム上にアルミニウムを蒸着させた２枚の金属化フィルムを重ね、重ねた金属化フィルムを巻回または積層し、扁平状に押圧することにより形成される。コンデンサ素子１００には、上側の端面に、亜鉛等の金属の吹付けにより第１端面電極１０１が形成され、下側の端面に、同じく亜鉛等の金属の吹付けにより第２端面電極１０２が形成される。２つのコンデンサ素子１００は、その両端面が上下方向を向く状態で、左右方向に並んでケース２０内に収容される。
【００１９】
なお、本実施の形態のコンデンサ素子１００は、誘電体フィルム上にアルミニウムを蒸着させた金属化フィルムにより形成されたが、これ以外にも、亜鉛、マグネシウム等の他の金属を蒸着させた金属化フィルムにより形成されてもよい。あるいは、コンデンサ素子１００は、これらの金属のうち、複数の金属を蒸着させた金属化フィルムにより形成されてもよいし、これらの金属どうしの合金を蒸着させた金属化フィルムにより形成されてもよい。
【００２０】
第１バスバー２００は、導電性材料、たとえば、銅板を適宜切り抜き、折り曲げることによって形成され、２つの第１電極端子２０１と、第１接続端子２０２と、第１中継端子２０３とを含む。２つの第１電極端子２０１は、それぞれに対応するコンデンサ素子１００の第１端面電極１０１に半田付け等の接続方法によって電気的に接続される。第１接続端子２０２は、左側のコンデンサ素子１００の上部位置において、前方に張り出す。第１接続端子２０２には、円形の取付孔２０２ａが形成され、この取付孔２０２ａを用いたねじ止めにより、第１接続端子２０２に外部端子（図示せず）が接続される。第１中継端子２０３は、右側のコンデンサ素子１００の下部位置において、前方に張り出す。
【００２１】
第２バスバー３００は、導電性材料、たとえば、銅板を適宜切り抜き、折り曲げることによって形成され、２つの第２電極端子３０１と、第２接続端子３０２と、第２中継端子３０３とを含む。２つの第２電極端子３０１は、それぞれに対応するコンデンサ素子１００の第２端面電極１０２に半田付け等の接続方法によって電気的に接続される。第２接続端子３０２は、左側のコンデンサ素子１００の下部位置において、第１接続端子２０２と向き合うようにして前方に張り出す。第２接続端子３０２には、円形の取付孔３０２ａが形成され、この取付孔３０２ａを用いたねじ止めにより、第２接続端子３０２に外部端子（図示せず）が接続される。第２中継端子３０３は、右側のコンデンサ素子１００の下部位置において、第１中継端子２０３に隣接するようにして前方に張り出す。
【００２２】
ケース２０は、熱可塑性樹脂であって結晶性樹脂であるポリフェニレンサルファイド（ＰＰＳ）樹脂により形成され、ケース本体４１０と、３つの取付タブ４２０とを含む。ケース本体４１０は、ほぼ直方体の箱状を有し、前面が開口する。ケース本体４１０の左側面、右側面および後面に、各取付タブ４２０が形成される。取付タブ４２０には、上下方向に貫通する円形の取付孔４２１が形成される。取付孔４２１の内側には、金属材料からなる円筒状のカラー４３０が、インサート成形により埋め込まれる。ケース本体４１０の下面には、中央よりも右側の位置に、横に細長い直方体形状の端子台４１１が形成される。
【００２３】
ケース２０には、第１接続ピン端子４４０と第２接続ピン端子４５０がインサート成形により一体形成される。第１接続ピン端子４４０および第２接続ピン端子４５０は、Ｌ字に折り曲げられたピン形状を有し、ニッケルからなる下地の表面に金メッキが施されている。
【００２４】
第１接続ピン端子４４０は、その一端部が、外部端子（図示せず）との接続端部４４１として端子台４１１から下方に突き出し、その他端部が、中継端部４４２としてケース本体４１０の前面の開口縁から前方に突き出す。同様に、第２接続ピン端子４５０は、その一端部が、外部端子との接続端部４５１として端子台４１１から下方に突き出し、その他端部が、中継端部４５２としてケース本体４１０の前面の開口縁から前方に突き出す。第１接続ピン端子４４０は、中継端部４４２が半田付け等の接続方法によって第１バスバー２００の第１中継端子２０３に電気的に接続され、第２接続ピン端子４５０は、中継端部４５２が半田付け等の接続方法によって第２バスバー３００の第２中継端子３０３に電気的に接続される。
【００２５】
充填樹脂３０は、エポキシ樹脂等の熱硬化性樹脂からなり、溶融状態でケース２０内に注入され、ケース２０が加熱されることにより硬化する。充填樹脂３０は、コンデンサユニット１０におけるコンデンサ素子１００と第１バスバー２００および第２バスバー３００の一部とを覆い、これらを湿気や衝撃から保護する。
【００２６】
＜フィルムコンデンサの製造方法＞
次に、フィルムコンデンサ１の製造方法について説明する。
【００２７】
図４（ａ）は、本実施の形態に係る、ケース２０の射出成形に用いられる金型５００の斜視図であり、図４（ｂ）は、本実施の形態に係る、スプール５２１およびランナー５２２の位置で切断された金型５００の平面断面図である。図５（ａ）は、本実施の形態に係る、左右方向における中央の位置で切断された金型５００の側面断面図であり、図５（ｂ）は、本実施の形態に係る、第２接続ピン端子４５０の位置で切断された金型５００の側面断面図である。
【００２８】
フィルムコンデンサ１の製造工程に含まれるケース製造工程において、ケース２０が射出成形により形成される。ケース２０を形成するための金型５００は、鋼材により形成され、前側の第１部材５０１と、後上側の第２部材５０２と、後下側の第３部材５０３と、第１部材５０１と第２部材５０２との間に上方から挿入される第４部材５０４とが結合されることにより構成される。
【００２９】
金型５００の内部には、ケース２０の形状に形作られた型部５１０が形成されるとともに、型部５１０内に注入される溶融状態のＰＰＳ樹脂が流れるスプール５２１と２つのランナー５２２とが形成される。型部５１０内への注入口であるゲート５２３は、３つの取付タブ４２０に対応する型部５１０の各部位５１１に形成される（図４（ｂ）参照）。上側の第２部材５０２と下側の第３部材５０３とは、スプール５２１およびランナー５２２の位置で結合される。型部５１０内の所定の位置には、各部材５０１、５０２、５０３、５０４が結合される前に、３つのカラー４３０と第１接続ピン端子４４０および第２接続ピン端子４５０とがインサートされる（図５（ａ）、（ｂ）参照）。
【００３０】
図６は、本実施の形態に係る、射出成形によるケース製造工程の流れを示す図である。
【００３１】
金型５００内でケース２０の成形を行う際には、まず、金型加熱工程が行われる（Ｓ１）。即ち、金型５００が、図示しないヒータによって所定温度まで加熱され、ほぼ所定温度に維持される。ここで、所定温度は、６０℃以上９０℃以下の範囲の温度、たとえば、８０℃に設定され得る。
【００３２】
次に、金型５００の温度がほぼ所定温度に維持された状態で、樹脂注入工程が行われる（Ｓ２）。即ち、溶融状態のＰＰＳ樹脂が、スプール５２１およびランナー５２２を通じてゲート５２３から型部５１０内に注入され、型部５１０内に充填される。溶融状態のＰＰＳ樹脂の温度は、たとえば、３２０℃とされ得る。
【００３３】
このとき、ＰＰＳ樹脂は、３つの取付タブ４２０に対応する型部５１０の各部位５１１から注入され、ケース本体４１０に対応する型部５１０の部位５１２へ向かって流れる。これにより、ケース本体４１０に対応する部位５１２から取付タブ４２０に対応する部位５１１に向かってＰＰＳ樹脂が流れる構成と違って、取付タブ４２０の先端部分でＰＰＳ樹脂の合流が生じず、この部分にウェルドが発生することが防止される。
【００３４】
型部５１０内にＰＰＳ樹脂が行き渡り、ケース２０が形成されると、冷却工程が行われる（Ｓ３）。即ち、型部５１０内へのＰＰＳ樹脂の注入が停止された後、金型５００がほぼ所定温度に維持されたまま、所定時間、即ち数十秒程度の時間、放置されることにより、形成されたケース２０が自然冷却される。
【００３５】
次に、取出工程が行われ（Ｓ４）、金型５００が分離されて中からケース２０が取り出される。取り出されたケース２０には、ゲートカットの処理が行われ、スプール５２１とランナー５２２に対応する樹脂部分が切除される。
【００３６】
このようにして、第１接続ピン端子４４０および第２接続ピン端子４５０がインサートされたＰＰＳ樹脂製のケース２０が完成する。
【００３７】
このようにして、ケース製造工程においてケース２０が製造されると、その後の工程において、製造されたケース２０内にコンデンサユニット１０、即ち２つのコンデンサ素子１００と第１バスバー２００および第２バスバー３００とが収容され、２つのコンデンサ素子１００が、第１バスバー２００および第２バスバー３００を通じて第１接続ピン端子４４０および第２接続ピン端子４５０に電気的に接続される。その後の更なる工程において、ケース２０内に充填樹脂３０が充填されて硬化すると、フィルムコンデンサ１が完成する。
【００３８】
図７（ａ）は、本実施の形態に係る、成形時の金型温度とケースに発生するバリの長さとの関係をグラフ化した図であり、図７（ｂ）は、本実施の形態に係る、成形時の金型温度とケースの破壊強度との関係をグラフ化した図である。図７（ｃ）は、本実施の形態に係る、ケースのバリの長さの測定方法について説明するための図であり、図７（ｄ）は、本実施の形態に係る、ケースの破壊強度の測定方法について説明するための図である。
【００３９】
図７（ａ）のグラフは、成形時の金型温度を４０℃から１７０℃まで１０℃刻みで変化させ、各金型温度においてＰＰＳ樹脂によりケースを成形し、それぞれのケースに発生したバリの長さを測定した結果を示したものである。成形時における金型５００の合わせ面（分離面）のクリアランス（隙間）は、通常の射出成形において許容され得る２０μｍ以下に設定される。図７（ｃ）のように、ケースには、金型５００の合わせ面に相当する位置に、合わせ面から延びるように薄い板状のバリが発生し得る。発生したバリにおける合わせ面から延びる方向の寸法が拡大鏡等を用いて測定され、その最大長さがバリ長さとして図７（ａ）のグラフに表されている。
【００４０】
図７（ａ）のグラフによれば、成形時の金型温度を９０℃以下の温度とすることにより、ケースへのバリの発生が抑制される。即ち、ケースにバリがほぼ発生しなくなる。
【００４１】
９０℃は、ＰＰＳ樹脂のガラス転移温度に相当するものである。金型温度がガラス転移温度以下にされた場合に、バリがほぼ発生しなくなるのは、合わせ面の隙間に侵入しようとする微量なＰＰＳ樹脂が、合わせ面部分の金型表面に接触し、その温度が直ちにガラス転移温度以下に下げられて大きく流動性が失われることで、合わせ面の隙間に入り込めなくなるからではないかと考えられる。
【００４２】
次に、図７（ｂ）のグラフは、成形時の金型温度を２０℃から１７０℃まで１０℃刻みに変化させ、各金型温度においてＰＰＳ樹脂によりケースを成形し、それぞれのケースの破壊強度を測定した結果を示したものである。破壊強度の測定は、アムスラー社の万能試験機での引張試験によるものである。図７（ｄ）のように、ケースの左右の側面に形成された取付タブに治具が固定され、これら治具で相反する方向に引っ張れたときのケースの破壊強度が測定される。金型温度１５０℃で形成されたケースの破壊強度に対する各金型温度で形成されたケースの破壊強度の割合（百分率）が、破壊強度として図７（ｂ）のグラフに表されている。
【００４３】
図７（ｂ）のグラフによれば、成形時の金型温度を６０℃以上の温度とすることにより、９０℃より高い従来の射出成形時の金型温度での破壊強度と同等な破壊強度を確保することができる。なお、金型温度が５０℃以下で破壊強度が保てなくなるは、５０℃以下ではＰＰＳ樹脂の結晶化が破壊強度を維持するうえで不十分となるからではないかと考えられる。
【００４４】
＜実施の形態の効果＞
以上のように、本実施の形態のコンデンサの製造方法では、熱可塑性樹脂であるＰＰＳ樹脂によりケース２０を成形する際の金型温度が、ＰＰＳ樹脂のガラス転移温度である９０℃以下の温度となるようにされているので、成形後のケース２０にバリが発生するのを抑制できる。これにより、バリを除去するためにブラスト研磨によるバリ処理を行わなくて良くなるので、ケース２０にインサート成形された第１接続ピン端子４４０や第２接続ピン端子４５０の表面が研磨材により荒らされ、外部端子との接続部分での接触面積が減って電気抵抗が増加し、電流が流れにくくなる、ということを防止できる。また、第１接続ピン端子４４０や第２接続ピン端子４５０が研磨材の吹付力で変形して、その位置精度が悪化し、外部端子との円滑な接続が行えなくなる、ということも防止できる。
【００４５】
特に、本実施の形態のケース２０のように、第１接続ピン端子４４０や第２接続ピン端子４５０のインサート部分の近傍が金型５００の合わせ面となる場合、第１接続ピン端子４４０や第２接続ピン端子４５０の近傍でバリが発生しやすく、このようなバリを除去しようとすると、第１接続ピン端子４４０や第２接続ピン端子４５０に研磨材が吹き付けられやすくなる。よって、このような構成の場合に、本実施の形態のコンデンサの製造方法が適用されれば、極めて有用なものとなる。
【００４６】
また、第１接続ピン端子４４０や第２接続ピン端子４５０に金メッキが施されている場合、研磨材の吹付により金メッキが剥がれる虞があり、こうなると、外部端子との接続部分での電気抵抗が一層増加し、電流が一層流れにくくなり得る。本実施の形態では、ブラスト研磨によるバリ処理が不要となるため、金メッキが剥がれることによる第１接続ピン端子４４０および第２接続ピン端子４５０と外部端子との間の導通不良を防止することが可能となる。
【００４７】
さらに、本実施の形態のコンデンサの製造方法では、成形時の金型温度が６０℃以上の温度となるようにされているので、ケース２０の破壊強度の低下を抑制することができ、適正な破壊強度を確保できる。これにより、使用環境下での急激な温度変化によりケース２０が膨張したり収縮したりしても、ケース２０において取付タブ４２０等に破損等が生じることを防止できる。
【００４８】
さらに、金型５００において、ケース２０の３つの取付タブ４２０に対応する型部５１０の部位５１１の位置にゲート５２３が設けられることにより、取付タブ４２０に対応する型部５１０の部位５１１からケース本体４１０に対応する型部５１０の部位５１２へとＰＰＳ樹脂が流れていくようになされているので、取付タブ４２０の先端部分でＰＰＳ樹脂の合流が発生せず、この部分にウェルドが発生することが防止される。これにより、取付タブ４２０の強度が低下することが防止される。
【００４９】
以上、本発明の実施の形態について説明したが、本発明は、上記実施の形態に限定されるものではなく、また、本発明の適用例も、上記実施の形態の他に、種々の変更が可能である。
【００５０】
たとえば、上記実施の形態では、ケース２０がＰＰＳ樹脂により形成された。しかしながら、ケース２０がポリブチレンテレフタレート（ＰＢＴ）樹脂など、ＰＰＳ樹脂以外の熱可塑性樹脂により形成されてもよい。この場合も、上記実施の形態のコンデンサの製造方法を用いることができる。この際、金型５００は、材料となる樹脂のガラス転移温度以下の温度であって、そのガラス転移温度よりも高い温度に加熱された金型５００で形成されたケースの破壊強度と同等の破壊強度が確保される温度以上の温度に加熱され得る。なお、ケース２０の材料となる熱可塑性樹脂には、フィラーやその他各種の添加剤が含まれていてもよい。
【００５１】
また、上記実施の形態では、ケース２０の製造工程において、金型５００が組まれた後に、金型５００が加熱されたが、金型５００が組まれる前に各部材５０１〜５０４が加熱されてもよい。
【００５２】
さらに、ケース２０にインサート成形される接続端子は、上記実施の形態の第１接続ピン端子４４０および第２接続ピン端子４５０のようにピン形状でなくともよく、たとえば、平板形状であってもよい。また、接続端子の表面に金メッキが施されていなくてもよい。
【００５３】
さらに、上記実施の形態では、ケース２０の取付タブ４２０において、取付孔４２１の内側にカラー４３０がインサート成形により埋め込まれた。しかしながら、ケース２０が成形された後に取付孔４２１にカラー４３０が挿入されるような構成が採られてもよい。
【００５４】
さらに、フィルムコンデンサ１に含まれるコンデンサ素子１００の個数は、上記実施の形態のものに限られず、必要な電気容量に応じて、適宜、変更できる。すなわち、上記実施の形態では２個のコンデンサ素子１００がケース２０内に配置されたが、これに限られることなく、その他の個数のコンデンサ素子１００がケース２０内に配置されてもよい。
【００５５】
さらに、上記実施の形態では、コンデンサ素子１００は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することによりコンデンサ素子１００を形成してもよい。
【００５６】
さらに、上記実施の形態では、コンデンサユニット１０が収容されたケース２０に充填樹脂３０が充填されたが、ケース２０の開口が塞がれてケース２０内が密閉されることにより、ケース２０内に充填樹脂３０が充填されないようにしてもよい。
【００５７】
さらに、本発明のコンデンサの製造方法により製造されるコンデンサは、上記実施の形態のようなフィルムコンデンサ１に限られず、フィルムコンデンサ１以外のコンデンサであってもよい。
【００５８】
この他、本発明の実施の形態は、特許請求の範囲に示された技術的思想の範囲内において、適宜、種々の変更が可能である。
【００５９】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００６０】
本発明は、各種電子機器、電気機器、産業機器、車両の電装等に使用されるコンデンサの製造に有用である。
【符号の説明】
【００６１】
１  フィルムコンデンサ
１０  コンデンサユニット
２０  ケース
１００  コンデンサ素子
４２０  取付タブ（取付部）
４２１  取付孔
４４０  第１接続ピン端子（端子部）
４５０  第２接続ピン端子（端子部）
５００  金型
５２３  ゲート
【図１】
2018159230.tif 000003
【図２】
2018159230.tif 000004
【図３】
2018159230.tif 000005
【図４】
2018159230.tif 000006
【図５】
2018159230.tif 000007
【図６】
2018159230.tif 000008
【図７】
2018159230.tif 000009
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
外部端子が接続される端子部が一体化されたケースを形成する工程と、
前記ケース内に前記端子部が電気的に接続されるコンデンサ素子を収容させる工程とを含むコンデンサの製造方法であって、
前記ケースを形成する工程では、
前記ケースの形状に形作られた型部を内部に有する金型を、前記ケースの材料である熱可塑性樹脂のガラス転移温度以下の温度に加熱し、
前記金型が前記ガラス転移温度以下の温度に加熱されるとともに前記型部内に前記端子部がインサートされた後に、前記金型の前記型部内に溶融状態の前記熱可塑性樹脂を注入して前記ケースを形成する、
ことを特徴とするコンデンサの製造方法。
【請求項２】
請求項１に記載のコンデンサの製造方法において、
前記熱可塑性樹脂は、ポニフェニレンサルファイド樹脂であり、
前記金型は、６０℃以上９０℃以下の範囲の温度に加熱される、
ことを特徴とするコンデンサの製造方法。
【請求項３】
請求項１または２に記載のコンデンサの製造方法において、
前記ケースは、取付孔を有し前記ケースの取り付けに用いられる取付部を備え、
前記金型には、前記取付部に対応する前記型部の部位にゲートが設けられ、
前記ゲートから前記型部内に溶融状態の前記熱可塑性樹脂が注入される、
ことを特徴とするコンデンサの製造方法。
【請求項４】
請求項１ないし３の何れか一項に記載のコンデンサの製造方法において、
前記金型の前記型部内にインサートされる前記端子部の表面に金メッキが施されている、
ことを特徴とするコンデンサの製造方法。
【手続補正２】
【補正対象書類名】明細書
【補正対象項目名】０００２
【補正方法】変更
【補正の内容】
【０００２】
コンデンサ素子および一対のバスバーの一部を樹脂モールドした状態でケース内に収容するようにしたケースモールド型コンデンサにおいて、ケースの側面の一部に切り欠き部を形成し、切り欠き部にこれを封止するように封止板を結合し、一対のバスバーの外部接続用の端子部を、封止板を貫通させてケースの外側に引き出すようにした構成が、特許文献１に記載されている。
【手続補正３】
【補正対象書類名】明細書
【補正対象項目名】０００４
【補正方法】変更
【補正の内容】
【０００４】
外部接続用の端子部をケースの側面位置で外側に引き出す場合、上記特許文献１のような構成ではなく、ケースを射出成形により形成し、その際に、インサート成形により端子部をケースと一体形成するような構成を採ることができる。この場合、素子とバスバーとがケースに収納された後に、バスバーが端子部に電気的に接続される。このような構成とした場合には、上記特許文献１のような封止板とケースの切欠部との間からのモールド樹脂の漏れを懸念しなくてよくなる。
【手続補正４】
【補正対象書類名】明細書
【補正対象項目名】０００８
【補正方法】変更
【補正の内容】
【０００８】
本発明の主たる態様は、外部端子が接続される端子部が一体化されたケースを形成する工程と、前記ケース内に前記端子部が電気的に接続されるコンデンサ素子を収容させる工程とを含むコンデンサの製造方法に関する。本態様に係るコンデンサの製造方法は、前記ケースを形成する工程では、前記ケースの形状に形作られた型部を内部に有する金型を、前記ケースの材料である熱可塑性樹脂のガラス転移温度以下の温度に加熱し、前記金型が前記ガラス転移温度以下の温度に加熱されるとともに前記型部内に前記端子部がインサートされた後に、前記金型の前記型部内に溶融状態の前記熱可塑性樹脂を注入して前記ケースを形成することを特徴とする。
【国際調査報告】
2018159230.tif 000010
2018159230.tif 000011
2018159230.tif 000012
2018159230.tif 000013